(57)【要約】      （修正有）【課題】全体構成を簡略化して所要搬送時間を短縮するとともに、金庫室への浸水を効果的に防止することができる貸金庫装置における金庫ボックスの搬送装置を提供する。【解決手段】金庫室ＣとブースＢとの間の仕切壁Ｗの開口部Ｗ1に装着し、鉛直方向の中心軸１１ｂのまわりに正逆に９０°水平回転する回転扉１０と、回転扉１０の片面に水平に突設する金庫ボックス３０用の受け台２０とを備えてなり、回転扉１０は、受け台２０上の金庫ボックス３０をブースＢ側に搬出する搬出位置と、受け台２０上の金庫ボックス３０を金庫室Ｃ側に搬入する搬入位置との間に回転操作可能であり、搬出位置、搬入位置の双方において開口部を閉じる。【選択図】図６
2014051879.tif 000002
【特許請求の範囲】
【請求項１】
金庫室とブースとの間の仕切壁の開口部に装着し、鉛直方向の中心軸のまわりに正逆に９０°水平回転する回転扉と、該回転扉の片面に水平に突設する金庫ボックス用の受け台とを備えてなり、前記回転扉は、前記受け台上の金庫ボックスをブース側に搬出する搬出位置と、前記受け台上の金庫ボックスを金庫室側に搬入する搬入位置との間に回転操作可能であり、搬出位置、搬入位置の双方において前記開口部を閉じることを特徴とする貸金庫装置における金庫ボックスの搬送装置。
【請求項２】
金庫室とブースとの間の仕切壁の開口部に装着し、鉛直方向の中心軸のまわりに１８０°ずつ水平回転する回転扉と、該回転扉の片面に水平に突設する金庫ボックス用の受け台とを備えてなり、前記回転扉は、前記受け台上の金庫ボックスをブース側に搬出する搬出位置と、前記受け台上の金庫ボックスを金庫室側に搬入する搬入位置との間に回転操作可能であり、搬出位置、搬入位置の双方において前記開口部を閉じることを特徴とする貸金庫装置における金庫ボックスの搬送装置。
【請求項３】
前記回転扉は、搬出位置において、前記受け台上の金庫ボックスの内部を利用し易い高さ位置に設定することを特徴とする請求項１または請求項２記載の貸金庫装置における金庫ボックスの搬送装置。
【請求項４】
金庫ボックスは、前記受け台上に移載されると、前記受け台から取外し不能にロックすることを特徴とする請求項１ないし請求項３のいずれか記載の貸金庫装置における金庫ボックスの搬送装置。
【請求項５】
前記回転扉は、搬入位置において所定の防盗性能を実現することを特徴とする請求項１ないし請求項４のいずれか記載の貸金庫装置における金庫ボックスの搬送装置。
【発明の詳細な説明】
【技術分野】
【０００１】
この発明は、金庫ボックスを金庫室とブースとの間に双方向に搬出入するための貸金庫装置における金庫ボックスの搬送装置に関する。
【背景技術】
【０００２】
銀行などの金融機関の店舗には、顧客の要望に応じて貴重品などを安全に保管することができる貸金庫装置を設置することが少なくない。
【０００３】
貸金庫装置は、金庫室とブースとを組み合わせて構成するのが普通である。すなわち、金庫室には、顧客ごとに特定される多数の金庫ボックスを複列多段の収納棚に収納して保管し、ブースには、顧客が入室し、認証を受けて端末装置を操作することにより、自動搬送装置を介して指定の金庫ボックスを金庫室からブースにまで搬出させ、金庫ボックスの内部を利用することができる。また、利用済の金庫ボックスは、顧客の指示により、金庫室内の元の収納棚の位置に自動的に収納される。
【０００４】
従来の自動搬送装置は、金庫室内のスタッカクレーンと、金庫室内からブース内にまで延びる搬送コンベヤとを組み合わせて構成されている（特許文献１、２）。なお、ブース内には、シャッタ付きの利用テーブルを設け、ブース側に搬出された金庫ボックスは、シャッタを開け、リフタを介して利用テーブル上に押し上げることにより、一層便利に内部を利用することができる。また、金庫室内のスペース効率を向上させるために、スタッカクレーンに代えて、金庫室内の収納棚の全幅相当の長さの昇降キャリッジを使用する固定式の搬出入装置も実用されている（特許文献３）。
【先行技術文献】
【特許文献】
【０００５】
【特許文献１】特開昭５９−１４９２０４号公報
【特許文献２】特開２００３−３０１６６４号公報
【特許文献３】特開２００６−３２８７５３号公報
【発明の概要】
【発明が解決しようとする課題】
【０００６】
かかる従来技術によるときは、金庫ボックスは、搬送コンベヤを介して金庫室とブースとの間を搬送するため、全体構成が複雑となり、全体の所要搬送時間が過大になりがちであるという問題があった。また、低位置の搬送コンベヤが金庫室とブースとの間に配設されるため、ブース側の浸水事故により金庫室までも簡単に浸水するおそれがあるという問題もあった。
【０００７】
そこで、この発明の目的は、かかる従来技術の問題に鑑み、搬送コンベヤに代えて、金庫ボックス用の受け台を搭載する回転扉を採用することによって、全体構成を簡略化して所要搬送時間を短縮するとともに、金庫室への浸水を効果的に防止することができる貸金庫装置における金庫ボックスの搬送装置を提供することにある。
【課題を解決するための手段】
【０００８】
かかる目的を達成するための請求項１の発明の構成は、金庫室とブースとの間の仕切壁の開口部に装着し、鉛直方向の中心軸のまわりに正逆に９０°水平回転する回転扉と、回転扉の片面に水平に突設する金庫ボックス用の受け台とを備えてなり、回転扉は、受け台上の金庫ボックスをブース側に搬出する搬出位置と、受け台上の金庫ボックスを金庫室側に搬入する搬入位置との間に回転操作可能であり、搬出位置、搬入位置の双方において開口部を閉じることをその要旨とする。
【０００９】
請求項２の発明の構成は、金庫室とブースとの間の仕切壁の開口部に装着し、鉛直方向の中心軸のまわりに１８０°ずつ水平回転する回転扉と、回転扉の片面に水平に突設する金庫ボックス用の受け台とを備えてなり、回転扉は、受け台上の金庫ボックスをブース側に搬出する搬出位置と、受け台上の金庫ボックスを金庫室側に搬入する搬入位置との間に回転操作可能であり、搬出位置、搬入位置の双方において開口部を閉じることをその要旨とする。
【００１０】
なお、回転扉は、搬出位置において、受け台上の金庫ボックスの内部を利用し易い高さ位置に設定することができ、金庫ボックスは、受け台上に移載されると、受け台から取外し不能にロックすることができる。
【００１１】
さらに、回転扉は、搬入位置において所定の防盗性能を実現することができる。
【発明の効果】
【００１２】
かかる発明の構成によるときは、回転扉は、搬出位置に回転操作することにより、受け台上の金庫ボックスを金庫室側からブース側に搬出することができ、ブース内の顧客は、受け台上の金庫ボックスの内部を利用することができる。また、回転扉は、搬入位置に回転操作することにより、受け台上の金庫ボックスをブース側から金庫室側に搬入することができる。なお、金庫ボックスは、搬出指示に従って、金庫室内のスタッカクレーンや、それに代わる搬出入装置を介して収納棚の所定の収納位置から取り出され、搬入位置の回転扉の受け台上に移載され、搬入の際には、搬入位置の回転扉の受け台上から取り出され、収納棚の元の収納位置に戻される。
【００１３】
回転扉の回転操作は、自動操作、手動操作のいずれであってもよく、所要操作時間は、極く短くて足りる。回転扉の高さ位置は、ブース内の搬出位置において、受け台上の金庫ボックスの内部を利用するに便利な高さに設定することにより、ブース側に多少の浸水事故があっても、金庫室内に簡単に浸水するおそれがない上、ブース内に格別な利用テーブルなどを用意する必要がない。また、回転扉は、搬出位置、搬入位置の双方において開口部を閉じ、金庫室に対する不用なアクセスを最小に制限することができる。
【００１４】
水平方向の中心軸のまわりに垂直回転する回転扉は、ローラ付きの受け台を介し、受け台上の金庫ボックスを水平に維持して搬入位置と搬出位置との間に搬送することができる。受け台のローラは、回転扉の回転操作に従って、回転扉上の半円弧状のガイドに沿って転動し、受け台を水平に維持することができるからである。なお、受け台は、回転扉の搬入位置、搬出位置において、それぞれストッパを介して移動不能に拘束することが好ましい。
【００１５】
鉛直方向の中心軸のまわりに９０°水平回転する回転扉は、片面に水平に突設する受け台上の金庫ボックスを搬入位置と搬出位置との間に搬送することができる。鉛直方向の中心軸のまわりに１８０°ずつ水平回転する回転扉も、全く同様である。ただし、前者の回転扉は、仕切壁と平行に閉じて搬入位置をとり、仕切壁と直角にブース側に開いて搬出位置をとるのに対し、後者の回転扉は、搬入位置、搬出位置の双方において仕切壁と平行である。なお、後者の回転扉は、一方向に１８０°ずつ回転操作してもよく、正逆に１８０°ずつ回転操作してもよい。
【００１６】
回転扉は、搬入位置において、たとえば金庫室と同等レベルの防盗性能を実現することにより、金庫室の安全性を十分に維持することができる。ただし、回転扉は、搬入位置において、金庫室と同等レベルの防火性能を併せて実現することが好ましい。
【図面の簡単な説明】
【００１７】
【図１】全体構成縦断面図
【図２】図１の要部拡大図
【図３】図２の要部拡大分解斜視図
【図４】図２相当の動作説明図
【図５】他の実施の形態を示す全体構成平面図
【図６】図５の要部拡大図
【図７】図６のＸ−Ｘ線矢視相当縦断面図
【図８】他の実施の形態を示す要部平面図
【図９】図８の要部拡大図
【発明を実施するための形態】
【００１８】
以下、図面を以って発明の実施の形態を説明する。
【００１９】
貸金庫装置における金庫ボックスの搬送装置は、回転扉１０と、回転扉１０に搭載する金庫ボックス３０用の受け台２０とを備えてなる（図１、図２）。なお、貸金庫装置は、金庫室Ｃに顧客用のブースＢを付設し、回転扉１０は、金庫室Ｃ、ブースＢの間の仕切壁Ｗの開口部Ｗ1 に装着されている。
【００２０】
金庫室Ｃには、多数の金庫ボックス３０、３０…を多段に収納する収納棚４１、４１…が相対向して配置されている。ただし、図１において、相対向する収納棚４１、４１は、それぞれ紙面に垂直方向に複列に配置されているものとする。なお、各収納棚４１内において、各段の金庫ボックス３０は、左右の受け材４２、４２を介して支持されており、図１、図２には、受け材４２、４２の一方のみが図示されている。金庫室Ｃは、全体として所定の防盗性能、防火性能を有するように構築されている。
【００２１】
金庫室Ｃ内には、相対向する収納棚４１、４１…の間に搬出入装置５０が設置されている。搬出入装置５０は、一対のマスト５１、５１を介して昇降キャリッジ５２を昇降自在に吊下しており、昇降キャリッジ５２上には、任意の収納棚４１内の任意の金庫ボックス３０を外部に引き出し、その金庫ボックス３０を収納棚４１内の元の位置に押し込んで収納する図示しない係合ユニットが搭載されている。なお、昇降キャリッジ５２は、図１の紙面に垂直方向に複列の収納棚４１、４１…の全幅相当の長さを有し、昇降キャリッジ５２上の係合ユニットは、昇降キャリッジ５２を昇降させ、昇降キャリッジ５２上において、図１の紙面に垂直方向、平行方向に往復移動させることにより、任意の収納棚４１内の任意の金庫ボックス３０にアクセス可能である。
【００２２】
回転扉１０は、半円弧状のガイド１１ａを有する扉本体１１を主要部材として構成されている。扉本体１１は、水平方向の中心軸１１ｂのまわりに上向きに垂直回転可能である。扉本体１１のブースＢ側、下側の直交する２面には、それぞれ閉じ板１２、１３が付設されており、ブースＢ側の閉じ板１２には、把手１２ａが付設されている。
【００２３】
扉本体１１のガイド１１ａは、左右の半円弧状のガイド材１４、１４によって形成されている（図２、図３）。一方、金庫ボックス３０用の受け台２０は、四角い枠状のフレーム２１の下面四隅部にローラ２２、２２…を付設し、フレーム２１の上面に左右一対の受け材２３、２３を固定している。各ローラ２２は、ガイド材１４の上面、すなわちガイド１１ａに沿って転動可能である。また、受け材２３、２３は、収納棚４１の受け材４２、４２と同等の部材であって、前方の斜め外向きのガイド部２３ａ、２３ａ側から後方のストッパ面２３ｂ、２３ｂに突き当たるまで金庫ボックス３０を押し込むことにより（図３の矢印方向）、金庫ボックス３０を受け台２０上に安定に保持することができる。
【００２４】
各ガイド材１４の両端には、固定ストッパ１５ａ、１５ｂが付設され、中間には、一対の可動ストッパ１６ａ、１６ｂが設けられている。固定ストッパ１５ａ、１５ｂは、ローラ２２の転動限を規定し、可動ストッパ１６ａ、１６ｂは、個別にガイド材１４の上面に突出させ、ガイド材１４の上面から退避させることにより（図２の矢印Ｋs 方向）、対応するローラ２２の転動を規制し、解放することができる。ただし、図３には、可動ストッパ１６ａ、１６ｂの図示が省略されている。
【００２５】
金庫ボックス３０は、箱状の本体３１の上面に蓋３２を設けて構成されている。蓋３２は、ヒンジ３２ａを介して上方に開くことができ、顧客が保有するキーを鍵穴３２ｂに挿し込むことにより、蓋３２を施錠し、解錠することができる。なお、本体３１の前後には、それぞれ下向きのフック部材３３が付設されており、搬出入装置５０の昇降キャリッジ５２上の係合ユニットは、フック部材３３に係合することにより、金庫ボックス３０を収納棚４１の所定の収納位置に出し入れし、受け台２０上に出し入れすることができる。
【００２６】
回転扉１０は、受け台２０上の金庫ボックス３０を金庫室Ｃ側に搬入する搬入位置（図１、図２）と、受け台２０上の金庫ボックス３０をブースＢ側に搬出する搬出位置（図４）との間に正逆に回転操作可能である。
【００２７】
回転扉１０の搬入位置において、受け台２０は、各ガイド材１４上のローラ２２、２２が一方の固定ストッパ１５ａ、可動ストッパ１６ａ、１６ｂを介して拘束され（図２）、回転扉１０上の金庫ボックス３０を水平に保持することができる。ただし、可動ストッパ１６ａ、１６ｂは、図２のように対応するローラ２２を両側から拘束するに代えて、固定ストッパ１５ａとともに双方のローラ２２、２２を両外側から拘束するように、外側の可動ストッパ１６ａだけをガイド材１４の上面に突出させてもよい。
【００２８】
搬入位置において、受け台２０上の金庫ボックス３０は、金庫室Ｃ内のブースＢ側の収納棚４１の中間部に形成する回転扉１０用の作動スペースＳ内にあって、作動スペースＳの上下に収納されている収納棚４１内の金庫ボックス３０、３０…と同様に、搬出入装置５０を介して出し入れ可能である。また、搬入位置の回転扉１０は、閉じ板１２を介して仕切壁Ｗの開口部Ｗ1 を閉じ、図示しない電気式のロック機構を介し、金庫室Ｃと同等レベルの防盗性能、防火性能を実現することができる。
【００２９】
搬入位置の回転扉１０は、中心軸１１ｂのまわりに上向きに９０°垂直回転させ（図２の矢印Ｋ1 方向）、搬出位置に回転操作することができる（図４）。ただし、回転扉１０を回転操作するに先き立って、受け台２０を拘束している可動ストッパ１６ａ、１６ｂをガイド材１４の上面から退避させて受け台２０を移動可能に解放させ、回転扉１０の回転とともに受け台２０をガイド１１ａに沿って一方向に移動させることにより（図２の矢印Ｋa 方向）、受け台２０、金庫ボックス３０を水平に保ちながら回転扉１０を搬出位置に移行させる。
【００３０】
回転扉１０が搬出位置に到達したら（図４）、可動ストッパ１６ａ、１６ｂの双方、または外側の可動ストッパ１６ｂだけをガイド材１４の上面に突出させて受け台２０を移動不能に拘束する。なお、回転扉１０は、図示しない駆動機構により自動的に回転操作してもよく、手動により回転操作してもよい。搬出位置の回転扉１０は、閉じ板１３により開口部Ｗ1 を閉じることができる。回転扉１０の搬出位置において、閉じ板１３の先端が開口部Ｗ1 の上縁の突部Ｗ1aに当接するから、突部Ｗ1aにロードセルなどのセンサを設置することにより、回転扉１０を搬出位置に正しく自動停止させることができる。
【００３１】
搬出位置の回転扉１０は、中心軸１１ｂのまわりに９０°逆方向に垂直回転させ（図４の矢印Ｋ2 方向）、受け台２０、金庫ボックス３０を水平に維持しながら、元の搬入位置に回転操作することができる。なお、このときも、回転操作に先き立って可動ストッパ１６ａ、１６ｂを退避させ、回転扉１０が搬入位置に到達したら（図２）、可動ストッパ１６ａ、１６ｂの双方、または外側の可動ストッパ１６ａだけをガイド材１４の上面に突出させて受け台２０を拘束する。
【００３２】
いま、ブースＢ内の顧客が、認証の上、ブースＢ内の操作端末を介して自分の金庫ボックス３０の搬出指示を入力すると、金庫室Ｃ内の搬出入装置５０は、指定の金庫ボックス３０を収納棚４１の所定位置から取り出し、搬入位置にある回転扉１０の受け台２０上に収納する。そこで、回転扉１０は、搬出位置に回転し、金庫ボックス３０をブースＢ側に搬出するから、ブースＢ内の顧客は、保有するキーを利用して金庫ボックス３０を開き、内部を利用することができる。なお、搬出位置の回転扉１０は、受け台２０上の金庫ボックス３０の内部を利用し易い高さ位置に保持するものとする。
【００３３】
金庫ボックス３０の利用完了により、顧客は、金庫ボックス３０を閉じて施錠し、搬入指示を入力する。そこで、回転扉１０は、搬入位置に回転して金庫ボックス３０を金庫室Ｃ内に搬入し、その後、搬出入装置５０は、受け台２０上の金庫ボックス３０を取り出し、収納棚４１内の元の収納位置に収納する。
【他の実施の形態】
【００３４】
回転扉１０は、鉛直方向の中心軸１１ｂのまわりに正逆に９０°水平回転させることができる（図５、図６）。
【００３５】
金庫室Ｃ内には、金庫ボックス３０、３０…を収納する複列多段の収納棚４１、４１…が相対向して配置されている。なお、図５において、相対向する収納棚４１、４１…の間の矢印Ａは、搬出入装置５０に代えるスタッカクレーンの走行移動方向を示す。ブースＢには、電気錠付きの出入口扉Ｂ1 が設備されており、認証済の顧客だけが入室可能である。また、金庫室ＣとブースＢとの間の仕切壁Ｗには、回転扉１０を装着する開口部Ｗ1 の他、金庫室Ｃ内の保守点検用の扉Ｗ2 が設けられている。
【００３６】
回転扉１０は、扉本体１１の金庫室Ｃ側の片面に台板状の受け台２０を水平に突設し、受け台２０上に金庫ボックス３０を載せることができる。また、扉本体１１のブースＢ側の片面には、把手１２ａ付きの閉じ板１２が付設され、扉本体１１の中心軸１１ｂ側の短辺には、閉じ板１３が受け台２０側に突出するようにして付設されている。すなわち、受け台２０は、扉本体１１と閉じ板１３との双方に対し、扉本体１１、閉じ板１３を連結するようにして付設されている。
【００３７】
回転扉１０は、仕切壁Ｗと平行に開口部Ｗ1 を閉じて受け台２０上の金庫ボックス３０を金庫室Ｃ側に搬入する搬入位置（図５、図６の各実線）と、仕切壁Ｗと直角にブースＢ側に開いて金庫ボックス３０をブースＢ側に搬出する搬出位置（図５、図６の各二点鎖線）との間に正逆に回転操作することができる（図６の矢印Ｋ3 方向）。なお、回転扉１０は、搬入位置、搬出位置において、それぞれ閉じ板１２、１３を介して開口部Ｗ1 を閉じることができ、搬入位置において、金庫室Ｃと同等レベルの防盗性能、防火性能を実現することができる。
【００３８】
なお、図５、図６の回転扉１０は、金庫室Ｃ内の収納棚４１の一部に形成する作動スペースＳ内を旋回させてもよい（図７）。ただし、図７において、回転扉１０の回転中心となる中心軸１１ｂは、回転扉１０の上下に一直線状に分割する一対として図示されている。
【００３９】
回転扉１０は、鉛直方向の中心軸１１ｂのまわりに１８０°ずつ水平回転させてもよい（図８、図９）。
【００４０】
金庫室Ｃ、ブースＢの間の仕切壁Ｗの開口部Ｗ1 には、中央の中心軸１１ｂを介して回転扉１０の扉本体１１が装着されており、扉本体１１の片面には、台板状の受け台２０が水平に突設されている。そこで、回転扉１０は、中心軸１１ｂのまわりに回転させることにより、受け台２０上の金庫ボックス３０を金庫室Ｃ側に搬入する搬入位置（図８、図９の各実線）と、金庫ボックス３０をブースＢ側に搬出する搬出位置（図８、図９の各二点鎖線）との間に回転操作することができる（図９の矢印Ｋ４方向）。なお、回転扉１０は、搬入位置、搬出位置の双方において仕切壁Ｗと平行になり、１８０°ずつ正逆に、または一方向に回転操作することができる。また、回転扉１０は、搬入位置、搬出位置の双方において、扉本体１１を介して、または扉本体１１の片面の閉じ板１２を介して開口部Ｗ1 を閉じることができる。
【００４１】
以上の説明において、金庫ボックス３０は、金庫室Ｃ内の搬出入装置またはスタッカクレーンを介して受け台２０上に移載されると、受け台２０から取外し不能に自動的にロックすることが好ましい。回転扉１０を介して金庫ボックス３０がブースＢ側に搬出されたとき、顧客が誤って金庫ボックス３０を受け台２０から取り外し、ブースＢ外に持ち出したりすることを防止することができる。
【産業上の利用可能性】
【００４２】
この発明は、金庫室ＣにブースＢを付設して形成する貸金庫装置において、金庫ボックス３０をブースＢ、金庫室Ｃの双方向に搬出入する際に好適に適用することができる。
【符号の説明】
【００４３】
Ｃ…金庫室
Ｂ…ブース
Ｗ…仕切壁
Ｗ1 …開口部
１０…回転扉
１１ｂ…中心軸
２０…受け台
３０…金庫ボックス
特許出願人      株式会社  富士精工本社
【図１】
2014051879.tif 000003
【図２】
2014051879.tif 000004
【図３】
2014051879.tif 000005
【図４】
2014051879.tif 000006
【図５】
2014051879.tif 000007
【図６】
2014051879.tif 000008
【図７】
2014051879.tif 000009
【図８】
2014051879.tif 000010
【図９】
2014051879.tif 000011